(57)【要約】【課題】  本発明はプリペイドカードなどの使用時間による料金の課金方法ではなく１日貸切機能を効率良く機能させるシステムである。プリペイドカードシステムはプリペイドカードの盗難悪用が問題になっている、解決しようとする課題は、単純な構造で故障の少ない１日単位で借りられ、貸し出しに手間のくわないテレビ貸し出しシステムの構造を提供する事。【解決手段】  本発明は３キースイッチによるテレビ１への電源供給の制御である。キーに設備したバーコード８などの固有記号の読み取りとキーラックよりの在庫信号による在庫との比較により貸し出し時のキーの間違いや返却時のキーのキーラック１３への返却間違えを確認出来る例えばキー６をキーラックから取り出した後にバーコード８などの信号を装置が受けた場合キーの貸し出しであり、逆にバーコードなどの信号８の後にキーラックからの取り出し信号が来た場合は返却である判断をするキーの貸し出しと返却の判断手段である。【選択図】  図１
2006024171.tif 000002
【特許請求の範囲】
【請求項１】
テレビの有料視聴装置においてテレビの電源供給をキースイッチにより行いそのキーを貸し出す事により料金の管理をするテレビの貸し出し方法。
【請求項２】
テレビの電源をキースイッチにより入り切りする構造を持つ装置
【請求項３】
テレビの電源をキースイッチにより入り切りする構造を持つ装置において、一定時間経過すると前記電源が自動的に切れる手段とそれを解除する手段と上記機能を無効にする手段を備えた装置
【請求項４】
テレビの有料視聴装置でキースイッチによりテレビの電源管理をしそのキーを貸し出す事により料金の管理をする貸し出し装置において、個別のキーの有る無しの判断手段とそれぞれの固有キーの認識をバーコードなどの認識部で読み込む手段とキー格納時のエラーを警報する手段とキーの在庫管理、使用状況データー、請求書、領収書などをプリントアウトする手段とそれらを総合管理するコンピューター手段とを備えたキー管理装置を有するキーラックの構造。
【請求項５】
請求項４のキー管理装置においてキーラック信号とバーコード信号の入力順序により貸し出しと返却の判断をするキー管理装置
【請求項６】
前記キーラックにおいてキーラックを分割格納し、使用するキーラックを引き出し引き出したキーラックの信号をコンピューターに認識させる構造を持つキー管理装置
【請求項７】
請求項１、請求項２、請求項３の構造を備えたテレビ供給電源管理装置
【請求項８】
請求項４、請求項５若しくは請求項４、請求項６若しくは請求項４、請求項５、請求項６の構造を備えたキー管理装置
【発明の詳細な説明】
【発明の詳細な説明】
【技術分野】
【０００１】本発明はテレビを有料で貸すための装置である。
【背景技術】
【０００２】本発明はプリペイドカードなどの使用時間による料金の課金方法ではなく１日貸切機能を効率良く機能させるシステムである。プリペイドカードシステムはプリペイドカードの盗難悪用が問題になっている、【０００３】プリペイドカード式は返金システムにより換金出来るので犯罪を助長する。【０００４】コイン式タイマーは装置に現金が常に入っている為犯罪を助長させている。【０００５】
【発明の開示】
【特許文献１】
特開第２０００−５９７５１号公報
【特許文献２】
公開実用昭和５４−６７１９３号公報
【発明が解決しようとする課題】
【０００６】解決しようとする課題は、単純な構造で故障の少ない１日単位で借りられ、貸し出しに手間のくわないテレビ貸し出しシステムの構造を提供する事。
【課題を解決するための手段】
【０００７】請求項１、請求項２の構成によると、現在のテレビ貸し出し装置はコインシューター式とプリペード式の２種類が有る、いずれの方式も使用料金を支払った後にテレビを使用する為の問題を抱えている。例えばコインシューター式はコインシューター本体にコインを収納する構造から現金の盗難などが行われる、またプリペード式はプリペードカードの盗難が有りそのカードは換金装置により返金され結果として現金の盗難が行われる。
【０００８】又双方とも構造上の故障も多く管理が大変であった。本発明はキースイッチによるテレビへの電源供給の制御である。
【０００８】例えば本装置を複数設備した場合鍵を装置事に変える事により使用するテレビ装置固有の鍵が特定出来る、上記の事から他人の鍵は自分の装置には使えず装置の使用目的の犯罪は無くなる、換金に対しても使用者が特定でき激減するはずである。
【０００９】請求項３の構成によると、例えば本装置を病院に設備した場合、ベッド上で使用する場合が多くその結果利用者が使用中寝てしまっても電源は入りっぱなしになっている、上記問題を解決する為一定時間ごとに電源を自動的に切る事により上記問題を解決する。
【００１０】しかし定期的にリセットスイッチを押す事によりリセットしてから前記一定時間に戻る、又機能パススイッチをも置け当確機能を無効にする機能を持たせる、事により身体機能上の問題でリセット出来ない患者に対応する。
【００１１】請求項４の構成によると、キーに設備したバーコードなどの固有記号の読み取りとキーラックよりの在庫信号による在庫との比較により貸し出し時のキーの間違いや返却時のキーのキーラックへの返却間違えを確認出来る、又キー管理装置とプリンターなどの印刷装置によりキーの在庫状況や請求書領収書などの自動発券も出来る警報装置により操作者のミスによるキーのキーラックへの返却ミスに対して警報を発せられる。
【００１２】請求項５の構成によると、例えばキーをキーラックから取り出した後にバーコードなどの信号を装置が受けた場合キーの貸し出しであり、逆にバーコードなどの信号の後にキーラックからの取り出し信号が来た場合は返却である判断をするキーの貸し出しと返却の判断手段である。
【００１３】請求項６の構成によると、キーラックの構造において戸袋のような引き出し構造の戸袋の戸にあたる部分にキーを収納する構造を持つキーラックの構造。
【００１４】請求項７の構成によると、現在のテレビ貸し出し装置はコインシューター式とプリペード式の２種類が有る、いずれの方式も使用料金を支払った後にテレビを使用する為の問題を抱えている。例えばコインシューター式はコインシューター本体にコインを収納する構造から現金の盗難などが行われる、またプリペード式はプリペードカードの盗難が有りそのカードは換金装置により返金され結果として現金の盗難が行われる。又双方とも構造上の故障も多く管理が大変であった。本発明はキースイッチによるテレビへの電源供給の制御であり故障も少ない。
【００１５】例えば本装置を病院に設備した場合、ベッド上で使用する場合が多くその結果利用者が使用中寝てしまっても電源は入りっぱなしになっている、上記問題を解決する為一定時間ごとに電源を自動的に切る事により上記問題を解決する。
【００１６】例えば本装置を複数設備した場合鍵を装置事に変える事により使用するテレビ装置固有の鍵が特定出来る、上記の事から他人の鍵は自分の装置には使えず装置の使用目的の犯罪は無くなる、換金に対しても使用者が特定でき激減するはずである。
【００１７】請求項８の構成によると、キーに設備したバーコードなどの固有記号の読み取りとキーラックよりの在庫信号による在庫との比較により貸し出し時のキーの間違いや返却時のキーのキーラックへの返却間違えを確認出来る例えばキーをキーラックから取り出した後にバーコードなどの信号を装置が受けた場合キーの貸し出しであり、逆にバーコードなどの信号の後にキーラックからの取り出し信号が来た場合は返却である判断をするキーの貸し出しと返却の判断手段である。
【００１８】キーラックの構造において戸袋のような引き出し構造の戸袋の戸にあたる部分にキーを収納する構造を持つキーラックの構造。
【発明を実施するための最良の形態】
【００１９】本発明のテレビ貸し出し方法は日貸しシステムである、構造も単純な構造である為故障も少なく安価なシステムが構築提供出来る。
【実施例】
【００１７】図１は本発明のテレビ貸し出し装置全体の構成図である。【００１８】図１中１１はキー管理装置本体である、図１３のキーラックはキー個々の在庫状態を管理装置に確認させるものでここは図３の様にマトリクス回路を用い入出力回路の設備を軽減している、キー６にはバーコードの付いたキーホルダーが付いているがこれはバーコードを直接キーに印字しても良く又ＩＣチップなどを使用しても良いつまりキー個々の確認が電気的に出来ればよい。【００１９】図１中１はテレビ本体で右の箱はテレビに電源を供給するキースイッチが設備された電源制限装置である、３は貸し出しキーが入るキースイッチの鍵穴である、４はタイマーのリセットスイッチである５は時間により電源を制限するシステムを解除するスイッチである。【００２０】図２は本発明キーラックの変形である、１８はキーラックであり図では３枚のキーラックが戸袋状の収納ケース１９に格納されているつまりマトリクス回路で構成されたキーラックを３セグメントラックケースに格納した形式で全部を格納するとキーラック全体の格納容器となりキーの格納庫となる。【００２１】図５は本発明テレビ電源制限装置の１例である２６キースイッチを入れっ放しにする事により冷蔵庫ＦＺ１００は連続し電源が供給される。【００２２】テレビ電源はタイマー３０により予め設定された時間がくると電源がきれる、リセットスイッチ３１によりタイマーをリセットさせタイマーによる電源の切れる時間を延長させる。【００２３】図４は装置全体の構成フロー図である。【００２４】図６はキーラックの構成図である。
【図面の簡単な説明】
【００２５】
【図１】本発明の要約に係わる図。
【図２】本発明キー格納ロッカー縦断面斜視図。
【図３】本発明キーロッカーセグメント内マトリクス回路説明図。
【図４】本発明キー貸し出し返却時のフロー説明図。
【図５】本発明キー制御テレビ側回路説明図。
【図６】本発明のキー貸出機の構成図。
【記号の説明】
【００２６】１  貸し出しテレビジョン本体
２  テレビ制御装置
３  電源キースイッチ
４  タイマーリセットスイッチ
５  タイマーパスキースイッチ
６  キー本体
７  キーホルダー
８  バーコード
９  バーコードリーダー
１０  プリンター
１１  キー管理装置本体
１２  パソコン
１３  キーラック（１セグメント）
１４  貸し出し冷蔵庫
１５  キーラック（セグメント１）
１６  キーラック（セグメント２）
１７  キーラック（セグメント３）
１８  キーラック移動用レール
１９  キーラック本体ケース
２０  キーラックセグメント検出スイッチ１〜３
２１  キーラックセグメント内マトリクス回路出力信号線
２２  キー有無信号接点
２３  キーラックセグメント内マトリクス回路Ｘ軸入力
２４  キーラックセグメント内マトリクス回路Ｙ軸出力
２５  キーラックセグメント内マトリクス回路
２６  電源キースイッチ接点
２７  タイマーパスキースイッチ接点
２８  テレビ電源出力
２９  冷蔵庫電源出力
３０  自動切タイマー
３１  タイマーリセットスイッチ
３５  使用時フローキー取り出し
３６  使用時フローバーコード読み出し
３７  使用時フローキー貸し出し確認
３８  使用時フローキーによるテレビ使用
３９  使用時フローキーによるテレビ使用リモコンなど併用
４０  使用時フローバーコード読み出し
４１  使用時フローキー返却
４２  使用時フローキー返却確認
４３  使用時フロー領収書発行
４４  キーナンバー確認手段
４５  キーラック内キー在庫確認手段
４６  キー管理回路
４７  キー格納間違え警報手段
４８  領収書などのデーター
４９  金銭及びキー在庫管理データー
５０  プリントアウト手段
【図１】
2006024171.tif 000003
【図２】
2006024171.tif 000004
【図３】
2006024171.tif 000005
【図４】
2006024171.tif 000006
【図５】
2006024171.tif 000007
【図６】
2006024171.tif 000008